(57)【要約】【課題】測色点の増加を抑制しながらカラー画像の出力で高い精度が要求される色の精度や階調性を良好なものにする【解決手段】ＣＭＹ三次元立方格子空間を均等に区分した各格子の格子点を測色点として設定し、ＣＭＹ出力量が等量となる直線から一定距離までの各格子を４分割してなる各格子の格子点を測色点として設定し（Ｓ２１０）、肌色を中心とする肌色領域内に属する格子を４分割してなる各格子の格子点を測色点として設定する（Ｓ２２０）。即ち、グレーの領域と肌色の領域の密度が高くなるように測色点を設定する。これにより、同数の測色点を均等に配置するものに比して、人の目において僅かな色の差や階調差でも見分けがつくグレーや肌色の領域におけるＲＧＢ＝（ｘ，ｙ，ｚ）の各色のＣＭＹ出力量への変換の精度を高くすることができる。【選択図】図２
2011211392.tif 000002
【特許請求の範囲】
【請求項１】
ＣＭＹの出力量を調節することによりカラー画像を出力する出力デバイスによってＣＭＹの出力量を調節して出力した複数の再現色を複数の測色点として所定の色彩値空間における色彩値を測色することにより前記出力デバイスの色再現域を規定すると共にＲＧＢによる色空間における基準点であるＲＧＢ基準点を前記規定した色再現域に適用して前記ＲＧＢ基準点から前記出力デバイスにおけるＣＭＹの出力量への対応関係を示すＲＧＢ−ＣＭＹ対応関係テーブルを作成するＲＧＢ−ＣＭＹ対応関係テーブル作成方法であって、
前記複数の測色点は、ＣＭＹによる三次元立方格子空間としたときに該三次元立方格子空間の外郭領域における密度より中心領域における密度の方が高くなるよう設定されてなる、
ことを特徴とするＲＧＢ−ＣＭＹ対応関係テーブル作成方法。
【請求項２】
請求項１記載のＲＧＢ−ＣＭＹ対応関係テーブル作成方法であって、
前記複数の測色点は、ＣＭＹによる三次元立方格子空間としたときにＣＭＹが等量となる直線を含む等量領域における密度の方が該等量領域外における密度より高くなるよう設定されてなる、
ことを特徴とするＲＧＢ−ＣＭＹ対応関係テーブル作成方法。
【請求項３】
請求項１記載のＲＧＢ−ＣＭＹ対応関係テーブル作成方法であって、
前記複数の測色点は、前記所定の色彩値空間をＬａｂ空間としたときに（ａ，ｂ）＝（０，０）の直線を含む領域における密度の方が該領域外における密度より高くなるよう設定されてなる、
ことを特徴とするＲＧＢ−ＣＭＹ対応関係テーブル作成方法。
【請求項４】
請求項１ないし３のいずれか１つの請求項に記載のＲＧＢ−ＣＭＹ対応関係テーブル作成方法であって、
前記複数の測色点は、ＣＭＹによる三次元立方格子空間としたときに中心よりＭＹ平面側の領域における密度の方が中心からＭＹ平面とは反対側の領域における密度より高くなるよう設定されてなる、
ことを特徴とするＲＧＢ−ＣＭＹ対応関係テーブル作成方法。
【請求項５】
請求項１ないし３のいずれか１つの請求項に記載のＲＧＢ−ＣＭＹ対応関係テーブル作成方法であって、
前記複数の測色点は、肌色を含む肌色領域における密度の方が該肌色領域外における密度より高くなるよう設定されてなる、
ことを特徴とするＲＧＢ−ＣＭＹ対応関係テーブル作成方法。
【発明の詳細な説明】
【技術分野】
【０００１】
本発明は、ＲＧＢ−ＣＭＹ対応関係テーブル作成方法に関し、詳しくは、ＲＧＢから出力デバイスにおけるＣＭＹの出力量への対応関係を示すＲＧＢ−ＣＭＹ対応関係テーブルの作成方法に関する。
【背景技術】
【０００２】
従来、この種のＲＧＢ−ＣＭＹ対応関係テーブル作成方法としては、出力デバイスにおけるＣＭＹ（シアン，マゼンタ，イエロー）による三次元立方格子空間において均等に配置された格子点を測色点としてＬａｂ色彩値空間における色彩値を測色することにより出力デバイスの色再現域を規定し、この色再現域にＲＧＢ（レッド，グリーン，ブルー）による三次元立方格子空間において均等に配置された格子点を適用してＲＧＢの各格子点に対するＣＭＹの出力量を計算するものが提案されている（例えば、特許文献１参照）。この方法では、例えば、ＣＭＹによる三次元立方格子空間において均等に配置されたｎ×ｎ×ｎ個の格子点を測色点として測色してＬａｂ色彩値空間においてｎ×ｎ×ｎ個からなる色再現域を規定し、この色再現域にＲＧＢによる三次元立方格子空間において均等に配置されたｍ×ｍ×ｍ個の格子点をプロットし、色再現域を構成するｎ×ｎ×ｎ個の測色点のうちプロットしたポイントの近傍の測色点の色彩値に対して重みを付けてプロットしたポイントのＣＭＹの出力量を演算することにより、ＲＧＢの各格子点からＣＭＹの出力量への対応関係としてのテーブルを作成している。
【先行技術文献】
【特許文献】
【０００３】
【特許文献１】特許第２８９５０８６号公報
【発明の概要】
【発明が解決しようとする課題】
【０００４】
しかしながら、上述の方法では、ＣＭＹによる三次元立方格子空間において均等に配置された格子点を測色点とするため、色の精度や階調性を良好なものとしようとすると、必要以上に多数の測色を行なわなければならない。ＣＭＹによる三次元立方格子空間において均等に配置された格子点を測色点とすると、カラー画像の出力であまり高い精度が要求されない色の測色も、カラー画像の出力で高い精度が要求される色（例えば、グレーや肌色）の測色も均等に行なわれる。このため、高い精度が要求される色の精度や階調性を良好なものにするには測色点を多くすることになるから、カラー画像の出力であまり高い精度が要求されない色の測色も多くなり、必要以上に多数の測色を行なうことになる。
【０００５】
本発明のＲＧＢ−ＣＭＹ対応関係テーブル作成方法は、測色点の増加を抑制しながらカラー画像の出力で高い精度が要求される色の精度や階調性を良好なものにすることを主目的とする。
【課題を解決するための手段】
【０００６】
本発明のＲＧＢ−ＣＭＹ対応関係テーブル作成方法は、上述の主目的を達成するために以下の手段を採った。
【０００７】
本発明のＲＧＢ−ＣＭＹ対応関係テーブル作成方法は、
ＣＭＹの出力量を調節することによりカラー画像を出力する出力デバイスによってＣＭＹの出力量を調節して出力した複数の再現色を複数の測色点として所定の色彩値空間における色彩値を測色することにより前記出力デバイスの色再現域を規定すると共にＲＧＢによる色空間における基準点であるＲＧＢ基準点を前記規定した色再現域に適用して前記ＲＧＢ基準点から前記出力デバイスにおけるＣＭＹの出力量への対応関係を示すＲＧＢ−ＣＭＹ対応関係テーブルを作成するＲＧＢ−ＣＭＹ対応関係テーブル作成方法であって、
前記複数の測色点は、ＣＭＹによる三次元立方格子空間としたときに該三次元立方格子空間の外郭領域における密度より中心領域における密度の方が高くなるよう設定されてなる、
ことを特徴とする。
【０００８】
この本発明のＲＧＢ−ＣＭＹ対応関係テーブル作成方法では、ＣＭＹによる三次元立方格子空間としたときに、三次元立方格子空間の外郭領域における密度より中心領域における密度の方が高くなるように測色点を設定する。ＣＭＹによる三次元立方格子空間の外郭領域は一般的にカラー画像の出力であまり精度が要求されない色の領域であり、ＣＭＹによる三次元立方格子空間の中心領域は一般的にカラー画像の出力で高い精度が要求される色の領域であるから、カラー画像の出力であまり精度が要求されない色の領域における密度よりカラー画像の出力で高い精度が要求される色の領域における密度の方が高くなるように測色点を設定することになる。これにより、同一の測色点数としたときに、ＣＭＹによる三次元立方格子空間において均等に配置された格子点を測色点とするものに比して、カラー画像の出力で高い精度が要求される色の精度や階調性を良好なものにすることができる。即ち、測色点の増加を抑制しながらカラー画像の出力で高い精度が要求される色の精度や階調性を良好なものにすることができるのである。なお、「ＣＭＹ」には、シアン，マゼンタ，イエローの３色（ＣＭＹ）だけでなく、シアン，マゼンタ，イエロー，ブラックの４色（ＣＭＹＫ）も含まれる。
【０００９】
こうした本発明のＲＧＢ−ＣＭＹ対応関係テーブル作成方法において、前記複数の測色点はＣＭＹによる三次元立方格子空間としたときにＣＭＹが等量となる直線を含む等量領域における密度の方が該等量領域外における密度より高くなるよう設定されてなることを特徴とするものとしたり、前記複数の測色点は前記所定の色彩値空間をＬａｂ空間としたときに（ａ，ｂ）＝（０，０）の直線を含む領域における密度の方が該領域外における密度より高くなるよう設定されてなることを特徴とするものとすることもできる。ＣＭＹが等量となる直線およびＬａｂ空間の（ａ，ｂ）＝（０，０）の直線は白と黒とを結ぶグレーの直線であるから、上述の態様とすることにより、グレーの階調性を良好なものとすることができる。
【００１０】
また、本発明のＲＧＢ−ＣＭＹ対応関係テーブル作成方法において、前記複数の測色点は、ＣＭＹによる三次元立方格子空間としたときに中心よりＭＹ平面側の領域における密度の方が中心からＭＹ平面とは反対側の領域における密度より高くなるよう設定されてなる、ことを特徴とすることもできる。肌色は、ＣＭＹによる三次元立方格子空間としたときに中心よりＭＹ平面側の領域にあるから、上述の態様とすることにより、測色点の増加を抑制しながら肌色近傍の色の精度や階調性を良好なものとすることができる。
【００１１】
あるいは、本発明のＲＧＢ−ＣＭＹ対応関係テーブル作成方法において、前記複数の測色点は、肌色を含む肌色領域における密度の方が該肌色領域外における密度より高くなるよう設定されてなる、ことを特徴とするものとすることもできる。こうすれば、測色点の増加を抑制しながら肌色領域の色の精度や階調性を良好なものとすることができる。
【図面の簡単な説明】
【００１２】
【図１】ＬＵＴ作成処理の一例を示すフローチャート。
【図２】測色点の設定処理の一例を示すフローチャート。
【図３】ＲＧＢ−ＣＭＹ変換処理の一例を示すフローチャート。
【図４】ＣＭＹ立方格子を２７等分して測色点を設定した説明図。
【図５】ＣＭＹ等量直線近傍に測色点を追加したときの様子を示す説明図。
【図６】肌色領域に測色点を追加したときの様子を示す説明図。
【図７】４つの測色点からＲＧＢポイントのＣＭＹ出力量を計算する際の説明図。
【図８】ＬＵＴの一例を示す説明図。
【発明を実施するための形態】
【００１３】
次に、本発明を実施するための形態を説明する。本発明の実施形態として、加色法の３原色であるＲＧＢ（レッド，グリーン，ブルー）による画像ソースを出力デバイスとしてのインクジェットプリンターが用いるインクやカラーレーザープリンターが用いるトナーなどの減色法の３原色であるＣＭＹ（シアン，マゼンタ，イエロー）により出力する際に、ＲＧＢ＝（ｘ，ｙ，ｚ）の各色に対する出力デバイスのＣＭＹの各出力量（ＣＭＹ出力量）への対応関係として用いるルックアップテーブル（Look Up Table, ＬＵＴ）を作成する方法（ＲＧＢ−ＣＭＹ対応関係テーブル作成方法）について説明する。
【００１４】
図１は、ＲＧＢ＝（ｘ，ｙ，ｚ）の各色に対する出力デバイスのＣＭＹ出力量への対応関係を示すルックアップテーブルの作成処理の一例を示すフローチャートである。図示するように、ルックアップテーブルは、出力デバイスから出力可能なＣＭＹ出力量の全範囲に対して離散的な測色点を設定し（ステップＳ１００）、設定した測色点の測色を行なって色彩値空間（例えば、Ｌａｂ空間）における出力デバイスの色再現域を設定し（ステップＳ１１０）、ＲＧＢ＝（ｘ，ｙ，ｚ）の各色を設定した出力デバイスの色再現域にプロットして近傍の測色点からＲＧＢ＝（ｘ，ｙ，ｚ）の各色のＣＭＹ出力量を計算するＲＧＢ−ＣＭＹ変換（ステップＳ１２０）を行なうことによって作成する。そして、作成したルックアップテーブルは、出力デバイスのドライバに組み込まれ、ＲＧＢによる画像ソースをＣＭＹによる出力画像として出力する際に用いられる。ここで、実施形態では、ステップＳ１００の測色点の設定処理は図２に例示する測色点の設定処理により行なわれ、ステップＳ１２０のＲＧＢ−ＣＭＹ変換処理は図３に例示するＲＧＢ−ＣＭＹ変換処理により行なわれる。以下、順に説明する。
【００１５】
実施形態の測色点の設定は、まず、ＣＭＹ三次元立方格子空間を均等にｎ×ｎ×ｎ個に区分して得られる各格子の格子点を測色点として設定する（ステップＳ２００）。説明を容易なものとするためにＣＭＹ三次元立方格子空間を均等に３×３×３個に区分して得られる各格子の格子点を測色点として設定したときの様子を図４に示す。図中、縦軸の「Ｃ」はシアン軸、横軸の「Ｍ」はマゼンタ軸、奥行き軸の「Ｙ」はイエロー軸を示し、白丸はＣＭＹ三次元立方格子に設定される測色点のうち３面（図４中の正面、右側面、上面）に設定される測色点を示す。なお、ＣＭＹ三次元立方格子空間の上記３面以外の３面（図４中の裏面、左側面、底面）や内部にも測色点は設定されるが、上記３面の測色点以外の測色点を図示すると、どの測色点がどの格子に配置されているかが不鮮明となるため、その図示は省略した。図示するように、ステップＳ２００の処理では、測色点は４×４×４個が設定される。なお、実際の測色点は、例えば３２×３２×３２個や６４×６４×６４個あるいは１２８×１２８×１２８個などとなる。
【００１６】
続いて、ＣＭＹの各色の出力量が等量となる直線、即ち、（Ｃ，Ｍ，Ｙ）＝（０，０，０）と（Ｃ，Ｍ，Ｙ）＝（１，１，１）とを結ぶ直線から一定距離までの各格子を４分割し、４分割した各格子の格子点のうちＣＭＹ三次元立方格子の最外郭に位置する格子点を除いて測色点として設定する（ステップＳ２１０）。ステップＳ２１０の処理を図４のＣＭＹ三次元立方格子に適用したときの様子を図５に示す。図５では、ＣＭＹ出力量が等量となる直線上の３つの格子がＣＭＹ出力量が等量となる直線から一定距離までの各格子に該当するものとして測色点を設定するものとした。対象となる３つの格子の白丸はステップＳ２００の処理で各格子の３面（図５中の正面、右側面、上面）に設定されている測色点を示し、対象となる３つの格子の黒丸はステップＳ２１０の処理で追加された測色点のうち各格子の３面（図５中の正面、右側面、上面）に設定されている測色点を示している。ここで、ＣＭＹ出力量が等量となる直線上の色は、（Ｃ，Ｍ，Ｙ）＝（０，０，０）の「白」と（Ｃ，Ｍ，Ｙ）＝（１，１，１）の「黒」を結ぶ色、即ちグレーの領域となる。グレーは、人の目には僅かな階調差でも見分けがつくものとなるため、このグレーの領域の測色点を多くすることにより、ＲＧＢにおけるグレーの領域のＣＭＹへの変換の精度を高くするのである。また、ＣＭＹ三次元立方格子の最外郭に位置する格子点を除くのは、ＣＭＹ三次元立方格子空間において最外郭の領域はカラー画像を出力する際に精度があまり要求されない色の領域だからである。
【００１７】
次に、ステップＳ２００におけるｎ×ｎ×ｎ個の格子のうち肌色を中心として予め定められた肌色領域内に属する格子を４分割し、４分割した各格子の格子点を測色点として設定し（ステップＳ２２０）、測色点の設定処理を終了する。ステップＳ２２０の処理を図５のＣＭＹ三次元立方格子に適用したときの様子を図６に示す。図６では、中央の格子の下方に位置する格子が肌色領域に属する格子に該当するものとして測色点を設定するものとした。図中、破線による楕円は肌色領域を示し、黒丸はステップＳ２１０およびステップＳ２２０の処理で追加された測色点のうち各格子の３面（図５中の正面、右側面、上面）に設定されている測色点を示している。ここで、肌色は、人の目には僅かな色の差や階調差でも見分けがつくものとなるため、この肌色の領域の測色点を多くすることにより、ＲＧＢにおける肌色の領域のＣＭＹへの変換の精度を高くするのである。なお、肌色は、減色法ではＹ（イエロー）とＭ（マゼンタ）の混合領域でＣ（シアン）が少ない領域となるから、図６のＣＭＹ三次元立方格子空間に示すように、中心よりＭＹ平面側の領域となる。
【００１８】
こうして設定された測色点は、ＣＭＹ出力量が等量となる直線から一定距離までの領域と肌色領域における密度が他の領域に比して高くなる。ＣＭＹ出力量が等量となる直線から一定距離までの領域は、色彩値空間（Ｌａｂ空間）では（ａ，ｂ）＝（０，０）の直線を含む領域となるから、実施形態の測色点は、色彩値空間（Ｌａｂ空間）における（ａ，ｂ）＝（０，０）の直線を含む領域と肌色領域における密度の方が他の領域に比して高くなると言い換えることができる。また、肌色領域は、ＣＭＹ三次元立方格子空間において中心よりＭＹ平面側の領域となるから、実施形態の測色点は、ＣＭＹ三次元立方格子空間において中心よりＭＹ平面側の領域の密度の方がＣＭＹ三次元立方格子空間において中心よりＭＹ平面とは反対側の領域に比して高くなると言える。さらに、ステップＳ２１０によりＣＭＹ出力量が等量となる直線から一定距離までの領域のうちＣＭＹ三次元立方格子の最外郭に位置する格子点を除いて測色点として設定したり、ステップＳ２２０により肌色領域に格子点を設定したりするから、実施形態の測色点は、ＣＭＹ三次元立方格子空間の外郭領域における密度より中心領域における密度の方が高くなっているということができる。
【００１９】
前述したように、測色点を設定すると、設定した測色点の測色を行なって色彩値空間（例えば、Ｌａｂ空間）における出力デバイスの色再現域を設定し、設定した出力デバイスの色再現域にＲＧＢ＝（ｘ，ｙ，ｚ）の各色をプロットして近傍の測色点からＲＧＢ＝（ｘ，ｙ，ｚ）の各色のＣＭＹ出力量を計算するＲＧＢ−ＣＭＹ変換処理を行なうことによってルックアップテーブルを作成する。次に、このＲＧＢ−ＣＭＹ変換処理について図３のフローチャートを用いて説明する。
【００２０】
ＲＧＢ−ＣＭＹ変換処理では、まず、ＲＧＢ＝（ｘ，ｙ，ｚ）を色彩値空間（例えば、Ｌａｂ空間）にプロットすると共に（ステップＳ３００）、出力デバイスの色再現域を設定した測色点のうちプロットしたポイント（ＲＧＢポイント）に最も近いポイントから４つのポイントを抽出し（ステップＳ３１０）、ＲＧＢポイントが抽出した４つのポイントにより形成される四面体の内側にあるか外側にあるかを判定する（ステップＳ３２０）。ＲＧＢポイントが四面体の外側にあるときには、出力デバイスの色再現域を設定した測色点のうちＲＧＢポイントに抽出した４つのポイントの次に近いポイントを抽出し（ステップＳ３３０）、前に抽出した４つのポイントのうちの３つのポイントと新たに抽出したポイントとからなる４つのポイントを抽出し（ステップＳ３４０）、ＲＧＢポイントがこの抽出した４つのポイントにより形成される四面体の内側にあるか外側にあるかを判定する（ステップＳ３４０）。ＲＧＢポイントが四面体の外側にあるときには、前に抽出した４つのポイントのうちの３つのポイントと新たに抽出したポイントとからなる４つのポイントの全ての組み合わせを終了するまで、ＲＧＢポイントが前に抽出した４つのポイントから異なる組み合わせの３つのポイントと新たに抽出したポイントとからなる４つのポイントにより形成される四面体の内側にあるか外側にあるかを判定する（ステップＳ３４０〜Ｓ３６０）。全ての組み合わせによる４つのポイントのいずれの四面体にもＲＧＢポイントが外側になるときには、出力デバイスの色再現域を設定した測色点のうちＲＧＢポイントに次に近いポイントを抽出すると共に前に抽出した４つのポイントのうちの３つのポイントと新たに抽出したポイントとからなる４つのポイントにより形成される四面体の内側にＲＧＢポイントがあるか外側にＲＧＢポイントがあるかの判定する処理（ステップＳ３３０〜Ｓ３６０）を繰り返す。
【００２１】
ステップＳ３２０でＲＧＢポイントが四面体の内側にあると判定されたときや、ステップＳ３３０〜Ｓ３６０の処理を繰り返すうちステップＳ３５０でＲＧＢポイントが四面体の内側にあると判定されたときには、ＲＧＢポイントと四面体を形成した４つのポイント（測色点）との距離による重みをもってた補完計算によりＲＧＢポイントにおけるＣＭＹ出力量を演算し（ステップＳ３７０）、ＲＧＢ＝（ｘ，ｙ，ｚ）と演算したＣＭＹ出力量とを格納する（ステップＳ３８０）。四面体を形成する４つの測色点からＲＧＢポイントのＣＭＹ出力量を計算する様子の一例を図７に示す。図中、ＡポイントがＲＧＢポイントであり、Ｐ１〜Ｐ４ポイントが四面体を形成する４つの測色点である。こうしたステップＳ３００〜Ｓ３８０の処理をＲＧＢ＝（ｘ，ｙ，ｚ）の全てに行なって（ステップＳ３９０）、ＲＧＢ−ＣＭＹ変換処理を終了する。格納したＲＧＢ＝（ｘ，ｙ，ｚ）とＣＭＹ出力量との関係を一覧したもの、即ち、ルックアップテーブルの一例を図８に示す。
【００２２】
以上説明した本実施形態のルックアップテーブルの作成方法によれば、ＣＭＹ出力量が等量となる直線から一定距離までの各格子を４分割すると共に４分割した各格子の格子点のうちＣＭＹ三次元立方格子の最外郭に位置する格子点を除いて測色点として設定することにより、人の目において僅かな階調差でも見分けがつくグレーの領域の測色点を多くしてＲＧＢ＝（ｘ，ｙ，ｚ）におけるグレーの領域のＣＭＹ出力量への変換の精度を高くすることができる。言い換えると、ＣＭＹ出力量が等量となる直線から一定距離までの範囲、即ちグレーの領域の測色点の密度を高くすることにより、人の目において僅かな階調差でも見分けがつくグレーの領域の測色点を多くしてＲＧＢ＝（ｘ，ｙ，ｚ）におけるグレーの領域のＣＭＹ出力量への変換の精度を高くすることができる。また、肌色を中心とする肌色領域内に属する格子を４分割すると共に４分割した各格子の格子点を測色点として設定することにより、人の目において僅かな色の差や階調差でも見分けがつく肌色の領域の測色点を多くしてＲＧＢ＝（ｘ，ｙ，ｚ）における肌色の領域のＣＭＹ出力量への変換の精度を高くすることができる。言い換えると、肌色領域の測色点の密度を高くすることにより、人の目において僅かな色の差や階調差でも見分けがつく肌色の領域の測色点を多くしてＲＧＢ＝（ｘ，ｙ，ｚ）における肌色の領域のＣＭＹ出力量への変換の精度を高くすることができる。しかも、ＣＭＹ三次元立方格子空間を均等にｎ×ｎ×ｎ個に区分して得られる各格子の格子点を測色点として設定するから、ＲＧＢ＝（ｘ，ｙ，ｚ）における各色をＣＭＹ出力量に精度よく変換することができる。実施形態の測色点の設定は、ＣＭＹ三次元立方格子空間の外郭領域における密度より中心領域における密度の方が高くなるよう行なうものと見ることもできるから、測色点をＣＭＹ三次元立方格子空間の外郭領域における密度より中心領域における密度の方が高くなるよう設定することにより、同数の測色点を均等に配置するものに比して、人の目において僅かな色の差や階調差でも見分けがつく領域の測色点の密度を高くしてＲＧＢ＝（ｘ，ｙ，ｚ）におけるその領域のＣＭＹ出力量への変換の精度を高くすることができる、ということができる。以上のことから、本実施形態のルックアップテーブルの作成方法によれば、測色点の増加を抑制しながらカラー画像の出力で高い精度が要求される色の精度や階調性を良好なものにすることができる、ということもできる。
【００２３】
上述した実施形態のルックアップテーブルの作成方法における測色点の設定処理では、ＣＭＹ出力量が等量となる直線から一定距離までの各格子を４分割すると共に４分割した各格子の格子点のうちＣＭＹ三次元立方格子の最外郭に位置する格子点を除いて測色点として設定するものとしたが、ＣＭＹ出力量が等量となる直線から一定距離までの範囲の測色点の密度を高くすればよいから、ＣＭＹ出力量が等量となる直線から一定距離までの範囲に対して乱数を用いてランダムに測色点を設定するものとしてもよい。同様に、肌色を中心とする肌色領域に対しても、この領域内に属する格子を４分割すると共に４分割した各格子の格子点を測色点として設定するのではなく、乱数を用いてランダムに測色点を設定するものとしてもよい。
【００２４】
上述した実施形態のルックアップテーブルの作成方法における測色点の設定処理では、ＣＭＹ出力量が等量となる直線から一定距離までの各格子を４分割すると共に４分割した各格子の格子点のうちＣＭＹ三次元立方格子の最外郭に位置する格子点を除いて測色点として設定すると共に肌色を中心とする肌色領域内に属する格子を４分割すると共に４分割した各格子の格子点を測色点として設定するものとしたが、ＣＭＹ出力量が等量となる直線から一定距離までの範囲内の測色点の密度が高くなるように測色点の設定は行なうが肌色領域内の測色点の密度については高くなるように測色点の設定は行なわないものとしてもよいし、逆に肌色領域内の測色点の密度が高くなるように測色点の設定は行なうがＣＭＹ出力量が等量となる直線から一定距離までの範囲内の測色点の密度については高くなるように測色点の設定は行なわないものとしてもよい。
【００２５】
上述した実施形態のルックアップテーブルの作成方法におけるＲＧＢ−ＣＭＹ変換処理では、ＲＧＢポイントが出力デバイスの色再現域を設定する際に用いた測色点のうち最近から順次得られる４つのポイントからなる四面体に対して内側になったときにその四面体を形成する４つのポイントを用いてＲＧＢポイントに対応するＣＭＹ出力量を演算するものとしたが、ＲＧＢポイントに対応するＣＭＹ出力量を出力デバイスの色再現域を設定する際に用いた測色点に基づいて演算するものであれば如何なる手法を用いるものとしてもよい。
【００２６】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００２７】
本発明は、ルックアップテーブルを用いる出力デバイス、例えばプリンターの製造産業などに利用可能である。
【図１】
2011211392.tif 000003
【図２】
2011211392.tif 000004
【図３】
2011211392.tif 000005
【図４】
2011211392.tif 000006
【図５】
2011211392.tif 000007
【図６】
2011211392.tif 000008
【図７】
2011211392.tif 000009
【図８】
2011211392.tif 000010